(57)【要約】【目的】長期の耐久を通じて常に排出現像剤を搬送するための回転体の回転動作を適正に制御し、ダウンタイムがより少なく、且つ、高画質を維持することができる画像形成装置を提供すること。【構成】画像形成装置において、現像装置１は現像容器２に設けられた所定高さの排出口１１により、内部に収容された２成分現像剤を排出口１１を乗り越えた分だけ現像容器２外へ排出し、回転体の回転動作によって排出現像剤を排出現像剤収容部へと搬送する構成とされ、画像形成動作回数によって、前記現像容器２内に収容可能な２成分現像剤の重量を予測し、該予測値に基づいて前記回転体の回転動作を制御するようにする。【選択図】      図１
2004264471.tif 000002
【特許請求の範囲】
【請求項１】
トナーとキャリアから成る２成分現像剤によって像担持体上に形成された静電潜像を各色毎に現像する現像装置と、前記現像装置に補給するための前記トナー及び前記キャリアを混合した補給現像剤を収容するための補給現像剤収容部と、前記現像装置から排出された排出現像剤を収容するための排出現像剤収容部とから成る画像形成部を複数有し、該複数の画像形成部を回転可能な回転体内に収容し、該回転体の回転動作により前記画像形成部を像担持体との対向部へと移動させることによって該像担持体上に形成された静電潜像を現像する画像形成装置において、
前記現像装置は現像容器に設けられた所定高さの排出口により、内部に収容された前記２成分現像剤を排出口を乗り越えた分だけ現像容器外へ排出し、前記回転体の回転動作によって排出現像剤を前記排出現像剤収容部へと搬送する構成とされ、画像形成動作回数によって、前記現像容器内に収容可能な前記２成分現像剤の重量を予測し、該予測値に基づいて前記回転体の回転動作を制御するようにしたことを特徴とする画像形成装置。
【発明の詳細な説明】
【０００１】
【発明の属する技術分野】
本発明は、電子写真プロセスを利用した複写機やレーザービームプリンタ等の画像形成装置に関するものである。
【０００２】
【従来の技術】
従来の電子写真方式の画像形成装置、その中でも特に有彩色の画像形成を行う画像形成装置において、非磁性トナーと磁性キャリアを混合して現像剤として使用する２成分現像方式が広く利用されている。２成分現像方式は、現在提案されている他の現像方式に比較して画質の安定性、装置の耐久性等の長所を備えている一方、長期の耐久による現像剤の劣化、特にキャリアの劣化が不可避であるため、画像形成装置の長期使用に伴い現像剤交換という作業が必要である。
【０００３】
上記問題に対する解決策が従来から幾つか提案されている。例えば、特公平２−２１５９１号によれば、「キャリアとトナーを撹拌する撹拌手段と、同撹拌手段で撹拌された現像剤を感光体へ供給する現像ロールとを備えた電子写真複写機用現像装置において、前記撹拌手段の上方にキャリア補給装置とトナー補給装置とを分離しまたは一体化して設け、現像装置ハウジングの側壁に現像剤溢出部を設けたため、新しい現像剤を前記補給装置により少しずつ補給するとともに前記現像剤溢出部より排出することができ、前記現像装置ハウジング内の現像剤の特性を一定に維持させることができ、その結果、複写物の画質も一定に保持させることができる。また本発明においては、前記現像装置ハウジング内の古くなった現像剤は前記現像剤溢出部より順次自動的に排出されるため、従来のもののように、現像装置を複写機より外し、同装置のハウジング内の古い現像剤を取出し、新しい現像剤を再充填した後、再び現像装置を取付けるといった面倒な現像剤交換作業が不必要となり、しかも現像剤飛散が防止されて衛生的である。」とある。
【０００４】
つまり、劣化した現像剤（キャリア）を新しいものと徐々に入れ替えていくことによって、見掛け上のキャリアの劣化進行が止まり、現像剤全体としては特性が安定する。これによって現像剤交換という作業を不要にし、メンテナンス性を向上させている。
【０００５】
【発明が解決しようとする課題】
２成分現像剤では、画像形成動作回数の増大とともにキャリアの帯電付与能力の低下、外添剤の蓄積等により劣化が進み、現像剤のトリボが次第に低下してくる。このように現像剤のトリボが低下していくと、その嵩密度が徐々に大きくなる傾向が見られる。このような状態で現像剤量を一定に制御すると、嵩密度が高くなるに連れて現像剤面は下降する。
【０００６】
しかしながら、従来の技術では、現像装置の所定位置に固定された現像剤排出部を設け、排出部よりも現像剤面が高くなった分を排出することによって常に現像剤面を一定に維持しようとする方法であるため、画像形成動作回数が増大すると前記理由により現像容器内の現像剤量が次第に増加していく。
【０００７】
ところで、現像装置の現像剤排出部から排出された現像剤の収容方法として、排出現像剤を回転体の回転動作を利用して現像装置上部に設けられた排出現像剤収容部へと移動させる方法が提案され、既に実用されている。この方法は、排出現像剤を移動させるための搬送部材等が不要であるため、非常に安価な構成とすることが可能である反面、排出現像剤を移動させるためには必ず回転体の回転動作が必要となる。特に、１色の現像装置を固定して連続で画像形成を行う単色モードを有する場合は、この単色モード中は回転体が回転しないために排出現像剤を排出現像剤収容部へと移動させることができない。そこで、定期的に回転体を回転させる動作が必要になる。
【０００８】
従来の現像剤排出機構を設けた現像装置では、前述のように現像剤劣化に伴うトリボ低下によって現像容器内に収容することができる現像剤量が増大するため、同量の現像剤を補給した場合でも排出される現像剤量が少なくなる。そのため、回転体の回転動作を実行するタイミングを現像剤の劣化レベルによらず一定にすると、排出現像剤の移動が適切に行われないという問題が発生する場合があった。具体的には、現像剤が劣化する耐久後半において、余計な回転体の回転動作によるダウンタイムが生じる可能性があった。
【０００９】
本発明は上記問題に鑑みてなされたもので、その目的とする処は、現像剤を徐々に自動交換してメンテナンス性を向上させた画像形成装置において、長期の耐久を通じて常に排出現像剤を搬送するための回転体の回転動作を適正に制御し、ダウンタイムがより少なく、且つ、高画質を維持することができる画像形成装置を提供することである。
【００１０】
【課題を解決するための手段】
上記目的を達成するため、本発明は、トナーとキャリアから成る２成分現像剤によって像担持体上に形成された静電潜像を各色毎に現像する現像装置と、前記現像装置に補給するための前記トナー及び前記キャリアを混合した補給現像剤を収容するための補給現像剤収容部と、前記現像装置から排出された排出現像剤を収容するための排出現像剤収容部とから成る画像形成部を複数有し、該複数の画像形成部を回転可能な回転体内に収容し、該回転体の回転動作により前記画像形成部を像担持体との対向部へと移動させることによって該像担持体上に形成された静電潜像を現像する画像形成装置において、前記現像装置は現像容器に設けられた所定高さの排出口により、内部に収容された前記２成分現像剤を排出口を乗り越えた分だけ現像容器外へ排出し、前記回転体の回転動作によって排出現像剤を前記排出現像剤収容部へと搬送する構成とされ、画像形成動作回数によって、前記現像容器内に収容可能な前記２成分現像剤の重量を予測し、該予測値に基づいて前記回転体の回転動作を制御するようにしたことを特徴とする。
【００１１】
ここで、前記複数の画像形成部の中から１つの画像形成部を選択して前記静電潜像担持体との対向部に固定し、該選択された画像形成部のみで連続して画像形成を行う単色画像形成モードを有するとともに、該モードにおいて連続画像形成動作中、若しくは連続画像形成動作終了後に前記回転体の回転動作を行うことが望ましい。
【００１２】
前記単色画像形成モードにおいて前記回転体の回転動作制御を行う場合、前記複数の画像形成部の中から選択された画像形成部に応じて前記回転体の回転動作の制御方法を変化させることが望ましい。
【００１３】
前記画像形成部において、前記補給現像剤収容部と前記排出現像剤収容部は一体化されたカートリッジとして、画像形成装置本体と着脱可能な構成であることが望ましい。
【００１４】
画像形成装置は画像形成枚数を積算する計数手段を有し、該画像形成枚数の積算値から前記現像容器内に収容可能な前記２成分現像剤の重量を予測し、該予測値に基づいて前記回転体の回転動作を制御することが望ましい。
【００１５】
又、画像形成装置は、画像情報信号の濃度信号のビデオカウント数を積算する計数手段を有し、該ビデオカウント数の積算値から前記現像容器内に収容可能な前記２成分現像剤の重量を予測し、該予測値に基づいて前記回転体の回転動作を制御することが望ましい。
【００１６】
【発明の実施の形態】
以下に本発明の実施の形態を添付図面に基づいて説明する。
【００１７】
＜実施の形態１＞
図１は現像装置の断面図、図２は複数の現像装置を備えるフルカラー画像形成装置要部の断面図である。
【００１８】
先ず、画像形成装置全体の動作について説明する。
【００１９】
図２において、先ず、帯電器２１によって帯電された感光ドラム２８の表面をレーザー２２によって露光することによって、感光ドラム２８上に先ずイエロー画像に対応した静電潜像を形成する。そして、この静電潜像をイエロー現像剤を収容した現像器１Ｙによって現像して感光ドラム２８上にイエロートナー像を形成する。現像器１Ｙは、回転体１８内に配置され、回転体１８を回転させて現像器１Ｙを感光ドラム２８との対向部へ移動させて現像に供する。
【００２０】
上記イエロートナー像は、一次転写帯電器２３ａによる転写バイアスによって中間転写ベルト２４上に一次転写される。同様にしてマゼンタ、シアン、ブラックのトナー像が中間転写ベルト２４上に順次重ね合わせて一次転写される。この各色のトナー像は、搬送ベルト２５によって搬送される記録紙２７に二次転写帯電器２３ｂによる転写バイアスによって一括して二次転写された後、記録紙２７は、搬送ベルト２５から剥離され、定着器２６によって加圧及び加熱されてトナー像の定着を受け、これによって永久画像が得られる。
【００２１】
尚、転写後に感光ドラム２８上に残った残トナーは、感光ドラムクリーナー２９ａによって除去され、又、中間転写ベルト２４上に残った残トナーは転写ベルトクリーナー２９ｂによって除去され、感光ドラム２８及び中間転写ベルト２４は次の画像形成に備えられる。
【００２２】
次に、現像器１を図１に基づいて詳細に説明する。
【００２３】
現像器１には、非磁性トナーと磁性キャリアから成る２成分現像剤が収容されており、その初期のトナー濃度（キャリアとトナーの合計重量に対するトナー重量の割合）は約６％に調整されている。この比率は、トナーの帯電量、キャリア粒径、画像形成装置の構成等で適正に調整されるべきものであって、必ずしもこの数値に従わなければならないものではない。
【００２４】
現像器１においては、感光ドラム２８に対向した現像領域が開口しており、この開口部に一部露出するようにして現像スリーブ３が回転可能に配置されている。非磁性材料で構成された現像スリーブ３は、磁界発生手段である固定のマグネット４を内包し、現像動作時には図１の矢印Ａ方向に回転し、現像容器２内の２成分現像剤を層状に保持して現像領域に担持搬送し、感光ドラム２８と対向する現像領域に２成分現像剤を供給し、感光ドラム２８に形成された静電潜像を現像する。そして、静電潜像を現像した後の現像剤は、現像スリーブ３の回転に従って搬送されて現像容器２内に回収される。
【００２５】
又、現像容器２には第１現像剤循環スクリュー２ａ（現像スリーブ３に近い側）と第２現像剤循環スクリュー２ｂ（現像スリーブ３から遠い側）が収容されており、現像剤はこれらの現像剤循環スクリュー２ａ，２ｂによって現像容器２内を循環するとともに、混合攪拌される。本実施の形態では、現像剤循環の方向は第１現像剤循環スクリュー２ａ側で図１の手前側から奥側に向かう方向、第２現像剤循環スクリュー２ｂ側では図１の奥側から手前側に向かう方向である。
【００２６】
次に、本実施の形態に係る画像形成装置における現像剤の補給方法と回収方法について詳しく説明する。
【００２７】
現像剤カートリッジ５は、図３に示すように、略円筒形の補給現像剤収容部５ａと回収現像剤収容部５ｂが一体となって成型され、画像形成装置本体から容易に脱着可能である。補給現像剤収容部５ａ内には、補給される現像剤を攪拌するための攪拌部材７が内蔵されている。図３に現像剤カートリッジ５の内部が一部示されているが、攪拌部材７は、これに示したように樹脂フィルム等を螺旋状に成形したものを剛体の軸で回転駆動するようにしたものであって、これを適宜回転させることによって補給現像剤収容部５ａ内の現像剤を攪拌するとともに、現像剤の補給を補助する。
【００２８】
画像形成によって消費された分のトナーは、攪拌部材７の回転力と重力によって、補給現像剤収容部５ａから現像剤補給口６を通過して現像容器２に配設された補給スクリュー８ａへと搬送され、補給スクリュー８ａの回転に従って現像容器２内に補給される。
【００２９】
このようにして現像剤カートリッジ５から現像器１に補給現像剤が補給される。ここで、この補給現像剤のトナー濃度は約９０％であるが、特にこの数値に限定されるものではない。即ち、この補給現像剤は、現像容器２内の２成分現像剤のトナー濃度と比較するとトナー量が圧倒的に多く、体積比を考えればトナー中にキャリアが微量混合されているものと考えることもできる。つまり、画像形成によって消費されたトナーを補う際に微量のキャリアを徐々に補給していくことになる。補給される現像剤のキャリアの比が多くなれば、同じ量のトナー補給でキャリアの入れ替わり量が多くなり、現像器１内の２成分現像剤はフレッシュな状態に近づくが、その分だけキャリアの消費量が多くなる。このため、それぞれの装置において適当な混合比を別途定めるのが好ましい。
【００３０】
このとき、補給すべきトナー（及びそこに含まれる微量のキャリア）の補給量は、現像容器２内のトナー濃度を検知するトナー濃度検知手段の検知結果に基づいて、ここでは図示しない現像剤補給制御手段により決定される。
【００３１】
トナー濃度検知手段としては、光学的或は磁気的に検知するものや、感光ドラム２８上の基準潜像を現像してそのトナー像の濃度を検知する方法等の様々な方法が知られており、何れかの方法を適宜選択することが可能である。本実施の形態では、図１に示すように、現像剤循環スクリュー２ａがある側の現像容器２の底面にトナー濃度を磁気的に検知するインダクタンス検知センサー２ｃを設けることによって、現像容器２内の２成分現像剤のトナー濃度を検知している。
【００３２】
画像形成によるトナー消費と現像剤補給制御手段による現像剤の補給を繰り返すと、現像容器２内にはトナー補給時に共に補給されたキャリアが増加する。２成分現像剤のトナー濃度は、現像剤補給制御手段によって略一定に保たれているため、現像容器２中の現像剤量が増加して現像剤面が次第に上昇する。過剰になった２成分現像剤は、現像剤排出口１１の開口部を超えた分が現像容器２外へ排出されるため、現像剤面は常に一定に保たれるようにキャリアの入れ替えが行われることになる。
【００３３】
現像容器２外に排出された現像剤は、回転体１８の回転動作によって回収現像剤収容部５ｂに搬送されるが、その様子を図４に示す。
【００３４】
現像動作位置において、現像容器２外の１２ａの領域に溢れ出た現像剤１３は（図４（ａ））、現像動作終了後、回転体が時計回りに９０°回転することにより先ず１２ｂの領域に移動する（図７（ｂ））。そこから更に９０°回転すると、カートリッジ５の回収現像剤収容部５ｂへと落下し（図７（ｃ））、収容される（図７（ｄ））。
【００３５】
ところで、前述のように２成分現像剤では画像形成装置の画像形成動作回数の増大と共に劣化が進み、トリボが低下することにより嵩密度が次第に大きくなる傾向がある。
【００３６】
本実施の形態のように、現像剤面を一定に保つ、即ち現像剤の体積を一定に保つ現像容器構成では、現像剤の嵩密度が変動すると現像容器２内に収容できる現像剤の重量が変化することになり、同量のキャリアが補給された場合でも、現像剤排出口１１から排出される現像剤量が異なる。具体的には、画像形成動作を繰り返した耐久後半においては、現像容器２内に収容可能な現像剤量が増加するため、耐久初期と同量の現像剤を補給した場合でも図４の１２ａの領域に排出されてくる現像剤量が少なくなる。すると、図４の１２ａの領域に可成り余裕があるにも拘らず回転体１８の回転動作が行われるため、余計な回転動作によるダウンタイムが生じるという問題がある。
【００３７】
そこで、本実施の形態では、不図示の画像形成枚数カウンターにより、現像装置１が設置されたときから今までの耐久枚数をカウントし、この耐久枚数によって回転体の回転動作を制御することを特徴としている。
【００３８】
本実施の形態における制御は、１色の現像装置を固定して連続で画像形成を行う単色モードを有する場合に特に有効であるため、以下ではブラック現像器１Ｋを用いて黒単色画像を連続して形成するモードを行う場合について説明する。この単色モード中では、回転体が回転しないために排出現像剤を回収現像剤収容部５ｂへと移動することができない。そこで、定期的に回転体を回転させる動作が必要になる。
【００３９】
先ず、ユーザーが画像形成装置の操作部から黒単色モードを指定すると、そのときの耐久枚数に応じた回転体制御方法が選択される。回転体制御方法は、表１に示すように、耐久枚数によって５つの耐久レベルに分けられ、各耐久レベル毎に最適な補給テーブルが設定される。各制御テーブルは、図５に示すように、同じ画像Ｄｕｔｙの原稿を連続して出力した場合でも、耐久レベルによって回転体１８の回転動作が実行されるタイミングが異なるように設定されている。
【００４０】
【表１】
2004264471.tif 000003
例えば、耐久枚数カウンターの読み値が耐久レベル１であった場合、制御テーブル１が選択される。制御テーブル１が選択されると、現像容器２外の１２ａの領域に蓄積可能な現像剤量は約１．２４ｇであると判断され、連続画像形成動作がスタートしてからこれだけの現像剤量が排出される前に回転体１８の回転動作が実行される。このとき、仮にユーザーが指定した原稿の画像Ｄｕｔｙが５％、置数が１８０枚であるとすると、４０枚目が出力されたところで一時画像形成を中断し、回転体１８が１回転した後、再び４１枚目の画像が出力される。同様にして８０枚目、１２０枚目、１６０枚目の画像が出力された後にも回転体１８の回転動作を実行する。
【００４１】
又、耐久枚数カウンターの読み値が耐久レベル５であった場合は、制御テーブル５が選択される。この場合は現像容器２外の１２ａの領域に蓄積可能な現像剤量は約３．７２ｇであると判断され、前記と同じく原稿の画像Ｄｕｔｙが５％、置数が１８０枚であるとすると、回転体１８の回転動作は１２０枚目の後にしか入らない制御となる。即ち、耐久枚数が進むに連れて回転体１８の回転動作の頻度が少なくなるように制御がなされる。このような制御を行うことにより、現像剤劣化が進んだ耐久後半において、余計な回転体１８の回転動作によるダウンタイムを減らすことが可能となる。
【００４２】
尚、ここでは説明を簡単にするため、原稿の画像Ｄｕｔｙが５％の場合で説明したが、現像剤の排出量は補給される現像剤量に依存するため、実際に回転体１８を回転させるタイミングはそのときの補給現像剤量によって制御されなければならない。補給現像剤量を推定する手段としては、補給スクリュー８ａの回転時間又は画像の濃度情報信号から得られるビデオカウント値等が用いられる。
【００４３】
以上説明したように、本実施の形態によれば、現像剤を徐々に自動交換してメンテナンス性を上げ、且つ、長期の耐久において常に高画質と高生産性を維持することができる。
【００４４】
＜実施の形態２＞
次に、本発明の実施の形態２について説明する。
【００４５】
本実施の形態においても、実施の形態１と同様に、現像剤の耐久レベルに応じて回転体の回転動作制御を行うが、その制御方法を単色画像形成モードにおいて選択された色毎によって変えることを特徴としている。
【００４６】
画像形成動作回数によってトナーの帯電量は変化するが、その変化量は色毎によって異なるため、トナーの帯電量変化に伴って変動する現像剤の嵩密度も色毎で変動量が異なる。
【００４７】
そこで、本実施の形態のように現像剤のオーバーフローを利用して現像剤を排出する構成の現像器を用いた場合、現像剤の耐久レベル、色毎で現像容器内に収容できる現像剤量が異なることになる。従って、表２に示す通り、色毎、耐久レベル毎で異なる現像剤量に基づいた制御テーブルを用いることによって、この問題点を解決している。各色の制御テーブルを図６に示す。
【００４８】
【表２】
2004264471.tif 000004
例えば、ユーザーが黒単色モードを選択した場合は図６のＫテーブルに従って制御が行われ、マゼンタ単色モードを選択した場合は図６のＭテーブルに従って制御がなされる。即ち、同じ画像Ｄｕｔｙの原稿を連続出力した場合でも、選択した色によって回転体の回転動作が実行されるタイミングが異なることになる。このような制御を行うことにより、現像剤劣化により現像剤の嵩密度が変化し、現像剤量が変動した場合でも、色毎に適正な回転体の回転制御を行うことが可能となる。
【００４９】
以上説明したように、本実施の形態によれば、複数の色の単色画像形成モードを有する画像形成装置においても、長期の耐久を通じて常に安定した高画質と高生産性を維持することができる。
【００５０】
＜実施の形態３＞
次に、本発明の実施の形態３について説明する。
【００５１】
本実施の形態に係る画像形成装置の構成は、前記実施の形態１，２のそれと同様であるが、ここでは現像剤の耐久レベルを画像情報信号の濃度信号のビデオカウント数によって決定している。
【００５２】
前述のように、現像剤のトリボの低下速度は、形成する画像の画像比率によって異なることが分かっている。これは、画像比率が高いと単位枚数当たりに補給される現像剤量が多いため、それに伴って外添剤の蓄積量が多くなり、トリボ低下するものと考えられる。そのため、同じ耐久枚数でも、その画像比率によって現像容器内の現像剤量の変化量に違いが生じてしまい、適正な現像剤補給制御ができなくなる可能性がある。
【００５３】
そこで、本実施の形態においては、上記問題を解決するために、画像情報信号の濃度信号のビデオカウント数の積算値を計測し、これに基づいて現像剤の耐久レベルを決定するようにしている。本実施の形態では、表３のように耐久レベルを決定し、この耐久レベルによって現像容器内の現像剤量を予測し、適切な回転体の回転制御テーブルが選択される。このような制御を行うことにより、現像剤の耐久レベルをより正確に把握することができるため、ユーザーが取る原稿の画像比率に応じた適正な現像剤量を補給することが可能となる。
【００５４】
【表３】
2004264471.tif 000005
以上説明したように、本実施の形態によれば、現像剤を徐々に自動交換してメンテナンス性を上げ、且つ、プリントアウトされる画像の画像比率に拘らず、長期の耐久を通じて常に高画質と高生産性を維持することができる。
【００５５】
【発明の効果】
以上の説明で明らかなように、本発明によれば、トナーとキャリアから成る２成分現像剤によって像担持体上に形成された静電潜像を各色毎に現像する現像装置と、前記現像装置に補給するための前記トナー及び前記キャリアを混合した補給現像剤を収容するための補給現像剤収容部と、前記現像装置から排出された排出現像剤を収容するための排出現像剤収容部とから成る画像形成部を複数有し、該複数の画像形成部を回転可能な回転体内に収容し、該回転体の回転動作により前記画像形成部を静電潜像担持体との対向部へと移動させることによって静電潜像担持体上に形成された静電潜像を現像する画像形成装置において、前記現像装置は現像容器に設けられた所定高さの排出口により、内部に収容された前記２成分現像剤を該排出口を乗り越えた分だけ現像容器外へ排出し、前記回転体の回転動作によって排出現像剤を前記排出現像剤収容部へと搬送する構成とされ、画像形成動作回数によって、前記現像容器内に収容可能な前記２成分現像剤の重量を予測し、該予測値に基づいて前記回転体の回転動作を制御するようにしたため、現像剤を徐々に自動交換してメンテナンス性を向上させた画像形成装置において、長期の耐久によって現像容器内に収容可能な現像剤量の変動があった場合でも、排出現像剤を搬送するための回転体の回転動作を適正に制御してダウンタイムを短縮するとともに、高画質を維持することができるという効果が得られる。
【図面の簡単な説明】
【図１】本発明に係る画像形成装置の現像装置の断面図である。
【図２】本発明に係る画像形成装置要部の断面図である。
【図３】本発明に係る画像形成装置の現像剤カートリッジの一部を破断した斜視図である。
【図４】回転体の回転動作により現像剤が回収現像剤収容部に搬送される様子を説明する図である。
【図５】耐久レベルによる回転体の回転制御テーブルを示す図である。
【図６】現像剤の色毎、耐久レベル毎による回転体の回転制御テーブルを示す図である。
【符号の説明】
１        現像装置
２        現像容器
５        現像剤カートリッジ
５ａ      補給現像剤収容部
５ｂ      回収現像剤収容部（排出現像剤収容部）
７        撹拌部材
１８      回転体
２１      帯電器
２２      レーザー
２４      中間転写ベルト
２５      搬送ベルト
２６      定着器
２７      記録紙
２８      感光ドラム（像担持体）
【図１】
2004264471.tif 000006
【図２】
2004264471.tif 000007
【図３】
2004264471.tif 000008
【図４】
2004264471.tif 000009
【図５】
2004264471.tif 000010
【図６】
2004264471.tif 000011